(57)【要約】【課題】小型で電池交換にかかるコストが低く、かつブラッシング効果が高い携帯用イオン歯ブラシを提供する。【解決手段】本考案に係る携帯用イオン歯ブラシ１００は、使用者が把持する把持部１０と、把持部１０から延出している導電性の支軸部２０と、支軸部２０によって支持され、ブラシ毛３１が設けられたヘッド部３０と、を含み、把持部１０には、Ｒ０３型の電池１６０が１つ収容され、支軸部２０は、電池１６０の一方の電極１６２と電気的に接続可能であり、把持部１０は、電池１６０の他方の電極１６４と電気的に接続された導電部１２０を有し、導電部１２０は、把持部１０の外表面１２の少なくとも一部を構成し、電池１６０の公称電圧は、２．５Ｖ未満であり、把持部１０には、昇圧回路が収容されている。【選択図】図１
0003216415.tif 000002
【実用新案登録請求の範囲】
【請求項１】
使用者が把持する把持部と、
前記把持部から延出している導電性の支軸部と、
前記支軸部によって支持され、ブラシ毛が設けられたヘッド部と、
を含み、
前記把持部には、Ｒ０３型の電池が１つ収容され、
前記支軸部は、前記電池の一方の電極と電気的に接続可能であり、
前記把持部は、前記電池の他方の電極と電気的に接続された導電部を有し、
前記導電部は、前記把持部の外表面の少なくとも一部を構成し、
前記電池の公称電圧は、２．５Ｖ未満であり、
前記把持部には、昇圧回路が収容されている、携帯用イオン歯ブラシ。
【請求項２】
請求項１において、
前記昇圧回路は、前記支軸部と前記導電部との間の電位差を３．０Ｖ以上にする、携帯用イオン歯ブラシ。
【請求項３】
請求項１または２において、
前記把持部には、前記ヘッド部を振動させるモーターが収容されている、携帯用イオン歯ブラシ。
【請求項４】
請求項３において、
前記モーターには、前記昇圧回路によって昇圧されていない電圧が印加される、携帯用イオン歯ブラシ。
【請求項５】
請求項１ないし４のいずれか１項において、
前記昇圧回路によって昇圧された電圧が印加されて発光する発光部を含む、携帯用イオン歯ブラシ。
【請求項６】
請求項５において、
前記発光部は、青色ＬＥＤである、携帯用イオン歯ブラシ。
【請求項７】
請求項１ないし６のいずれか１項において、
前記ヘッド部を収容するキャップ部を含む、携帯用イオン歯ブラシ。
【請求項８】
請求項７において、
前記キャップ部には、通気孔が設けられている、携帯用イオン歯ブラシ。
【請求項９】
請求項１ないし８のいずれか１項において、
前記携帯用イオン歯ブラシの長手方向の大きさは、２０ｃｍ以下である、携帯用イオン歯ブラシ。
【請求項１０】
請求項１ないし９のいずれか１項において、
前記把持部は、
前記支軸部が固定された絶縁部を有し、
前記絶縁部には、貫通孔が設けられ、
前記貫通孔には、前記他方の電極と電気的に接続された導電部材が設けられ、
前記導電部は、
前記導電部材と接し、前記絶縁部に固定された第１部分と、
前記第１部分と接し、前記絶縁部と係合して前記電池を覆う第２部分と、
を有し、
前記第１部分および前記第２部分は、互いに分離可能に構成されている。携帯用イオン歯ブラシ。
【考案の詳細な説明】
【技術分野】
【０００１】
本考案は、携帯用イオン歯ブラシに関する。
【背景技術】
【０００２】
従来から、歯ブラシの把持部に電池を内蔵し、この把持部を把持する使用者の手を介して歯とブラシ毛との間に電流を流し、ブラッシング効果を向上させたイオン歯ブラシや電子歯ブラシ（以下、これらを総称して「イオン歯ブラシ」という）が提案されている。
【０００３】
例えば特許文献１には、１．５ＶのＲ０３形の電池を内蔵したイオン歯ブラシでは、プラーク（歯垢）において、通電の有無では両者間に差は認められなかったことが記載されている。一方、特許文献２には、３．０Ｖのリチウム電池を内蔵したイオン歯ブラシでは、使用前後の歯垢付着状態において、有意差が認められたことが記載されている。したがって、歯垢除去効果等のブラッシング効果を得るには、３Ｖ程度の電圧が必要であるといえる。
【先行技術文献】
【非特許文献】
【０００４】
【非特許文献１】村井正大、外１４名、「歯周疾患に対するイオン導入電気歯刷子使用効果について」、日歯周誌、第２７巻、３号、ｐ．６５１−ｐ．６６０
【非特許文献２】眞木吉信、外６名、「リチウム電池内蔵電子歯ブラシの歯口清掃効果」、歯科学報、Ｖｏｌ．９３，Ｎｏ．５（１９９３）、ｐ．５６１−ｐ．５７４
【考案の概要】
【考案が解決しようとする課題】
【０００５】
上記のようなイオン歯ブラシにおいて、近年、携帯用としての開発が進められている。
【０００６】
しかしながら、３Ｖの電圧を得るために、Ｒ０３形の電池を２つ用いると、歯ブラシが大型になってしまい、携帯用イオン歯ブラシとしては好ましくない。また、リチウム電池を用いると、電池交換にかかるコストが高くなってしまう。
【０００７】
本考案のいくつかの態様に係る目的の１つは、小型で電池交換にかかるコストが低く、かつブラッシング効果が高い携帯用イオン歯ブラシを提供することにある。
【課題を解決するための手段】
【０００８】
本考案に係る携帯用イオン歯ブラシの一態様は、
使用者が把持する把持部と、
前記把持部から延出している導電性の支軸部と、
前記支軸部によって支持され、ブラシ毛が設けられたヘッド部と、
を含み、
前記把持部には、Ｒ０３型の電池が１つ収容され、
前記支軸部は、前記電池の一方の電極と電気的に接続可能であり、
前記把持部は、前記電池の他方の電極と電気的に接続された導電部を有し、
前記導電部は、前記把持部の外表面の少なくとも一部を構成し、
前記電池の公称電圧は、２．５Ｖ未満であり、
前記把持部には、昇圧回路が収容されていてもよい。
【０００９】
なお、本考案に係る記載では、「電気的に接続」という文言を、例えば、「特定の部材
（以下「Ａ部材」という）に「電気的に接続」された他の特定の部材（以下「Ｂ部材」という）」などと用いている。本考案に係る記載では、この例のような場合に、Ａ部材とＢ部材とが、直接接して電気的に接続されているような場合と、Ａ部材とＢ部材とが、他の部材を介して電気的に接続されているような場合とが含まれるものとして、「電気的に接続」という文言を用いている。
【００１０】
前記携帯用イオン歯ブラシの一態様において、
前記昇圧回路は、前記支軸部と前記導電部との間の電位差を３．０Ｖ以上にしてもよい。
【００１１】
前記携帯用イオン歯ブラシの一態様において、
前記把持部には、前記ヘッド部を振動させるモーターが収容されていてもよい。
【００１２】
前記携帯用イオン歯ブラシの一態様において、
前記モーターには、前記昇圧回路によって昇圧されていない電圧が印加されてもよい。
【００１３】
前記携帯用イオン歯ブラシの一態様において、
前記昇圧回路によって昇圧された電圧が印加されて発光する発光部を含んでもよい。
【００１４】
前記携帯用イオン歯ブラシの一態様において、
前記発光部は、青色ＬＥＤであってもよい。
【００１５】
前記携帯用イオン歯ブラシの一態様において、
前記ヘッド部を収容するキャップ部を含んでもよい。
【００１６】
前記携帯用イオン歯ブラシの一態様において、
前記キャップ部には、通気孔が設けられていてもよい。
【００１７】
前記携帯用イオン歯ブラシの一態様において、
前記携帯用イオン歯ブラシの長手方向の大きさは、２０ｃｍ以下であってもよい。
【００１８】
前記携帯用イオン歯ブラシの一態様において、
前記把持部は、
前記支軸部が固定された絶縁部を有し、
前記絶縁部には、貫通孔が設けられ、
前記貫通孔には、前記他方の電極と電気的に接続された導電部材が設けられ、
前記導電部は、
前記導電部材と接し、前記絶縁部に固定された第１部分と、
前記第１部分と接し、前記絶縁部と係合して前記電池を覆う第２部分と、
を有し、
前記第１部分および前記第２部分は、互いに分離可能に構成されていてもよい。
【図面の簡単な説明】
【００１９】
【図１】本実施形態に係る携帯用イオン歯ブラシを模式的に示す正面図。
【図２】本実施形態に係る携帯用イオン歯ブラシを模式的に示す側面図。
【図３】本実施形態に係る携帯用イオン歯ブラシを模式的に示す背面図。
【図４】本実施形態に係る携帯用イオン歯ブラシを模式的に示す斜視図。
【図５】本実施形態に係る携帯用イオン歯ブラシを模式的に示す分解斜視図。
【図６】本実施形態に係る携帯用イオン歯ブラシを模式的に示す分解斜視図。
【図７】本実施形態に係る携帯用イオン歯ブラシを模式的に示す分解斜視図。
【図８】本実施形態に係る携帯用イオン歯ブラシを模式的に示す分解斜視図。
【図９】本実施形態に係る携帯用イオン歯ブラシを模式的に示す分解斜視図。
【図１０】本実施形態に係る携帯用イオン歯ブラシを説明するためのブロック図。
【考案を実施するための形態】
【００２０】
以下、本考案の好適な実施形態について、図面を用いて詳細に説明する。なお、以下に説明する実施形態は、特許請求の範囲に記載された本考案の内容を不当に限定するものではない。また、以下で説明される構成の全てが本考案の必須構成要件であるとは限らない。
【００２１】
本実施形態に係る携帯用イオン歯ブラシ１００について、図面を参照しながら説明する。図１は、本実施形態に係る携帯用イオン歯ブラシ１００を模式的に示す正面図である。図２は、本実施形態に係る携帯用イオン歯ブラシ１００を模式的に示す側面図である。図３は、本実施形態に係る携帯用イオン歯ブラシ１００を模式的に示す背面図である。図４は、本実施形態に係る携帯用イオン歯ブラシ１００を模式的に示す斜視図である。図５は、本実施形態に係る携帯用イオン歯ブラシ１００を模式的に示す斜視図である。
【００２２】
なお、便宜上、図１〜図４では、携帯用イオン歯ブラシ１００を簡略化して図示している。また、図１〜図５では、互いに直交する３つの軸として、Ｘ軸、Ｙ軸、およびＺ軸を図示している。
【００２３】
携帯用イオン歯ブラシ１００は、図１〜図５に示すように、例えば、把持部１０と、支軸部２０と、ヘッド部３０と、キャップ部４０と、を含む。なお、図１〜図３および図５では、キャップ部４０を取り外した状態を示している。また、図４では、キャップ部４０を装着した状態を示している。
【００２４】
把持部１０は、使用者が把持する部分（持つ部分）である。把持部１０は、長手方向を有する形状を有している。図示の例では、把持部１０の長手方向は、Ｙ軸方向である。把持部１０は、外表面１２を有している。
【００２５】
把持部１０は、図５に示すように、例えば、第１絶縁部１１０と、導電部１２０と、第２絶縁部１３０と、を有している。導電部１２０は、第１部分１２２と、第２部分１２４と、を有している。
【００２６】
ここで、図６および図７は、携帯用イオン歯ブラシ１００を模式的に示す分解斜視図である。図６は、第１絶縁部１１０から、導電部１２０の第２部分１２４および第２絶縁部１３０を取り外した状態を示している。図７は、さらに、第１絶縁部１１０から、導電部１２０の第１部分１２２、基部１４０、および電池１６０を取り外した状態を示している。また、図６および図７では、把持部１０からヘッド部３０を取り外した状態を図示している。なお、図６および図７では、互いに直交する３つの軸として、Ｘ軸、Ｙ軸、およびＺ軸を図示している。
【００２７】
第１絶縁部１１０には、図６および図７に示すように、支軸部２０が固定されている。第１絶縁部１１０は、支軸部２０側とは反対側（図示の例では−Ｙ軸方向側）が開口された空洞の形状を有している。第１絶縁部１１０内には、基部１４０が挿入される。第１絶縁部１１０の材質は、例えば、ＡＢＳ（ａｃｒｙｌｏｎｉｔｒｉｌｅ  ｂｕｔａｄｉｅｎｅ  ｓｔｙｒｅｎｅ  ｃｏｐｏｌｙｍａｅｒ）樹脂である。
【００２８】
第１絶縁部１１０には、貫通孔１１１が設けられている。貫通孔１１１には、導電部材１５０が設けられている。貫通孔１１１には、導電部材１５０が挿入されている。携帯用
イオン歯ブラシ１００は、例えば、導電部材１５０を含む。導電部材１５０の材質は、例えば、金属である。導電部材１５０は、例えば、ビス（ねじ）である。貫通孔１１１は、例えば、ネジ穴である。導電部材１５０は、電池１６０の第２電極１６４と電気的に接続されている。具体的には、導電部材１５０は、第２電極１６４と電気的に接続された配線４ｂと接している。
【００２９】
導電部１２０は、把持部１０の外表面１２の少なくとも一部を構成している。図示の例では、導電部１２０は、外表面１２の一部を構成している。導電部１２０の材質は、例えば、ＡＢＳ樹脂にニッケルめっき処理を施した樹脂めっきである。そのため、導電部１２０の材質が例えば金属である場合に比べて、低コストで容易い形成することができる。
【００３０】
導電部１２０の第１部分１２２は、第１絶縁部１１０に固定されている。第１部分１２２は、例えば、第１絶縁部１１０に接着されている。第１部分１２２は、導電部材１５０と接している。第１部分１２２は、導電部材１５０を介して、電池１６０の第２電極１６４と電気的に接続されている。図示の例では、第１部分１２２は、環状の形状を有し、第１部分１２２の内側に第１絶縁部１１０および導電部材１５０が位置している。
【００３１】
導電部１２０の第２部分１２４は、第１絶縁部１１０に係合されている。図示の例では、第２部分１２４は、環状の形状を有している。第１絶縁部１１０は、例えば第２部分１２４に挿入される被挿入部１１２を有している。被挿入部１１２は、第２部分１２４と係合する係合部１１３を有している。図示の例では、係合部１１３は、開口部である。第２部分１２４は、係合部１１３と係合する突起部（図示せず）を有している。第２部分１２４は、第１部分１２２と接している。第２部分１２４を、例えば、第１絶縁部１１０に対して、Ｙ軸回りに回転させ−Ｙ軸方向に移動させることにより、第１絶縁部１１０から第２部分１２４を取り外すことができる。
【００３２】
導電部１２０の第２部分１２４は、電池１６０を覆っている。具体的には、第２部分１２４は、電池１６０と離間して、電池１６０の一部を覆っている。図示の例では、第２部分１２４は、第１部分１２２の−Ｙ軸方向側に設けられている。第１部分１２２および第２部分１２４は、互いに分離可能に構成されている。
【００３３】
第２絶縁部１３０は、導電部１２０の第２部分１２４に固定されている。図示の例では、第２絶縁部１３０は、第２部分１２４の−Ｙ軸方向側に設けられている。第２絶縁部１３０は、例えば、＋Ｙ軸方向側が開口された空洞の形状を有している。第２絶縁部１３０内には、基部１４０が挿入される。第２絶縁部１３０の材質は、例えば、ＡＢＳ樹脂である。
【００３４】
把持部１０には、例えば、基部１４０、電池１６０、回路基板１７０、発光基板１８０、モーター１９０、電池端子２ａ，２ｂ、および配線４ａ，４ｂ，４ｃが収容されている。携帯用イオン歯ブラシ１００は、例えば、基部１４０と、電池１６０と、回路基板１７０と、発光基板１８０と、モーター１９０と、電池端子２ａ，２ｂと、配線４ａ，４ｂ，４ｃと、を含む。
【００３５】
ここで、図８および図９は、携帯用イオン歯ブラシ１００を模式的に示す斜視図である。なお、便宜上、図８および図９では、把持部１０、支軸部２０、ヘッド部３０、キャップ部４０、係合部５０、導電部材１５０の図示を省略している。また、図８および図９では、互いに直交する３つの軸として、Ｘ軸、Ｙ軸、およびＺ軸を図示している。
【００３６】
基部１４０は、図６〜図９に示すように、例えば、Ｙ軸方向に長手方向を有する部材である。基部１４０は、電池１６０が配置される電池配置部１４２と、回路基板１７０が配
置される回路基板配置部１４４と、発光基板１８０が配置される発光基板配置部１４６と、モーター１９０が配置されるモーター配置部１４８と、を有している。図示の例では、回路基板配置部１４４は、Ｚ軸方向からみて、電池配置部１４２と発光基板配置部１４６との間に設けられている。基部１４０の材質は、例えば、ＡＢＳ樹脂である。
【００３７】
電池１６０は、基部１４０の電池配置部１４２に設けられている。電池１６０は、把持部１０に１つだけ収容されている。電池１６０は、ＩＥＣ（Ｉｎｔｅｒｎａｔｉｏｎａｌ
Ｅｌｅｃｔｒｏｔｅｃｈｎｉｃａｌ  Ｃｏｍｍｉｓｓｉｏｎ）規格で、Ｒ０３形の電池である。電池１６０は、日本の規格で、単４形の電池である。
【００３８】
電池１６０の公称電圧は、２．５Ｖ未満である。電池１６０の公称電圧は、例えば、１．５Ｖである。電池１６０は、例えば、アルカリ乾電池、マンガン乾電池などの乾電池である。電池１６０は、リチウム電池ではない。なお、「公称電圧」とは、電池を通常使用した場合に、両端子間で得られる電圧の目安である。
【００３９】
電池１６０は、図６に示すように、第１電極（一方の電極）１６２と、第２電極（他方の電極）１６４と、を有している。第１電極１６２は、例えば、マイナスの電極である。第２電極１６４は、例えば、プラスの電極である。図示の例では、第１電極１６２は、第２電極１６４よりも＋Ｙ軸方向側に位置している。
【００４０】
回路基板１７０は、図８に示すように、基部１４０の回路基板配置部１４４に設けられている。回路基板１７０は、Ｚ軸方向からみて、電池１６０と発光基板１８０との間に設けられている。
【００４１】
回路基板１７０には、スイッチ１７２が設けられている。スイッチ１７２は、第１絶縁部１１０に設けられたボタン１１４が押されると（ＯＮ状態になると）、発光基板１８０に設けられた発光部１８２およびモーター１９０に、電池１６０からの電圧が印加されるように構成されている。さらに、スイッチ１７２は、ＯＮ状態になると、第１電極１６２と支軸部２０とが電気的に接続されるように構成されている。さらに、スイッチ１７２は、ボタン１１４がもう１度押されると（ＯＦＦ状態になると）、発光部１８２およびモーター１９０に電圧が印加されなくなるように構成されている。さらに、スイッチ１７２は、ＯＦＦ状態になると、第１電極１６２と支軸部２０との電気的接続が、解除されるように構成されている。
【００４２】
発光基板１８０は、基部１４０の発光基板配置部１４６に設けられている。発光基板１８０には、発光部１８２が設けられている。携帯用イオン歯ブラシ１００は、発光部１８２を含む。第１絶縁部１１０には、窓部１１５が設けられている。窓部１１５は、例えば、Ｚ軸方向からみて、発光部１８２と重なる位置に設けられている。窓部１１５は、例えば、第１絶縁部１１０に接着されている。窓部１１５は、発光部１８２からの光を透過する。これにより、使用者は、把持部１０の外側から、発光部１８２からの光を視認することができる。発光部１８２は、例えば、青色ＬＥＤ（Ｌｉｇｈｔ  Ｅｍｉｔｔｉｎｇ  Ｄｉｏｄｅ）である。
【００４３】
モーター１９０は、基部１４０のモーター配置部１４８に設けられている。図示の例では、Ｚ軸方向からみて、モーター１９０と発光基板配置部１４６とは、重なっている。これにより、例えば、携帯用イオン歯ブラシ１００のＹ軸方向の大きさを小さくすることができる。モーター１９０は、ヘッド部３０を振動させる。モーター１９０は、ヘッド部３０を振動させることができれば、特に限定されないが、例えば、偏心モーターである。
【００４４】
ここで、図１０は、携帯用イオン歯ブラシ１００を説明するためのブロック図である。
回路基板１７０には、昇圧回路１７４が設けられている。携帯用イオン歯ブラシ１００は、昇圧回路１７４を含む。昇圧回路１７４は、図示せぬ複数の電子部品を含んで構成されている。
【００４５】
昇圧回路１７４は、図１０に示すように、電池１６０からの電圧を昇圧する。使用者Ｕが携帯用イオン歯ブラシ１００を使用する際に、昇圧された電圧は、使用者Ｕに印加される。昇圧回路１７４は、支軸部２０と導電部１２０との間の電位差（電圧）を、２．５Ｖ以上、好ましくは３Ｖ以上にする。
【００４６】
発光部１８２には、図１０に示すように、昇圧回路１７４によって昇圧された電圧が印加される。一方、モーター１９０には、昇圧回路１７４によって昇圧されていない電圧が印加される。
【００４７】
基部１４０には、図８に示すように、電池端子２ａ，２ｂおよび配線４ａ，４ｂ，４ｃが設けられている。電池端子２ａ，２ｂおよび配線４ａ，４ｂ，４ｃの材質は、例えば、金属である。電池端子２ａは、電池１６０の第１電極１６２と接する。電池端子２ｂは、電池１６０の第２電極１６４と接する。
【００４８】
配線４ａは、電池端子２ａと接し、電池端子２ａと回路基板１７０とを接続している。配線４ｂは、回路基板１７０に設けられた昇圧回路１７４を介して、配線４ａと電気的に接続されている。配線４ｂは、図７に示す導電部材１５０と接触する。配線４ｃは、図９に示すように、基部１４０に設けられている。配線４ｃは、スイッチ１７２がＯＮの状態で、昇圧回路１７４を介して、支軸部２０と電池端子２ｂとを電気的に接続する。配線４ａ，４ｂ，４ｃと各部材とは、例えば、はんだによって接合されている。
【００４９】
図１に示すように、把持部１０のヘッド部３０と接続される側（図示の例では＋Ｙ軸方向側の端部）には、係合部５０が設けられている。係合部５０は、ヘッド部３０の係合部３７と係合可能である。係合部５０は、係合部３７と係合することができれば、その形状は特に限定されない。把持部１０の厚さ（Ｚ軸方向の大きさ）は、例えば、係合部５０の厚さよりも大きい。
【００５０】
支軸部２０は、把持部１０から延出している。具体的には、支軸部２０は、図１に示すように、把持部１０の＋Ｙ軸方向側の端部から、ヘッド部３０のブラシ部３２近傍まで、延出している。支軸部２０および把持部１０は、例えば、インサート成形によって形成される。支軸部２０は、例えば、棒状の形状である。
【００５１】
支軸部２０は、導電性を有している。支軸部２０は、配線４ｃ、昇圧回路１７４、および電池端子２ｂを介して、第１電極１６２と電気的に接続可能である。具体的には、支軸部２０は、スイッチ１７２がＯＮの状態で、第１電極１６２と電気的に接続する。支軸部２０の材質は、例えば、ＳＵＳ（Ｓｔｅｅｌ  Ｕｓｅ  Ｓｔａｉｎｌｅｓｓ）である。
【００５２】
ヘッド部３０は、図１に示すように、支軸部２０によって支持されている。ヘッド部３０は、例えば、着脱可能に構成されている。ヘッド部３０は、例えば、ブラシ毛３１が設けられた（植毛された）ブラシ部３２と、ブラシ部３２から一体的にくびれて延出しているシャンク部３３と、を有している。
【００５３】
ヘッド部３０の、ブラシ毛３１が植毛されている外表面３４であって、ブラシ部３２近傍の位置には、支軸部２０の一部を露出する開口部３５が設けられている。ヘッド部３０の材質は、例えば、ＡＢＳ樹脂、ＰＰ（ｐｏｌｙｐｒｏｐｙｌｅｎｅ）樹脂などである。
【００５４】
シャンク部３３には、支軸部２０が挿入される支軸部挿入孔３６が形成されている。支
軸部挿入孔３６は、開口部３５と連通している。シャンク部３３の把持部１０と接続される側（−Ｙ軸方向側）には、把持部１０に設けられた係合部５０と係合する係合部３７が設けられている。係合部３７は、係合部５０と係合することができれば、その形状は特に限定されない。
【００５５】
携帯用イオン歯ブラシ１００では、導電部１２０に手を触れながら把持部１０を把持し、ブラシ毛３１によって歯をブラッシングすると、ブラシ毛３１は、唾液等の液体によって濡れ、開口部３５を含む液体の連なった経路を介して支軸部２０と電気的に導通可能な状態となる。すなわち、開口部３５は、液体を媒体として、ブラシ毛３１と支軸部２０とを電気的に導通可能にするための開口部である。これにより、電流は、第２電極１６４、電池端子２ｂ、配線４ａ、昇圧回路１７４、配線４ｂ、導電部材１５０、導電部１２０の第１部分１２２、導電部１２０の第２部分１２４、使用者の手、体、歯、ブラシ毛３１、開口部３５を含む液路、支軸部２０、配線４ｃ、昇圧回路１７４、電池端子２ａ、および第２電極１６４という経路で流れ、電位傾斜によって歯垢除去効果等のブラッシング効果を高めることができる。
【００５６】
キャップ部４０は、ヘッド部３０を収容する。図４に示す例では、把持部１０の第１絶縁部１１０もキャップ部４０に収容されている。図５に示す例では、キャップ部４０は、係合部４２を有し、第１絶縁部１１０は、係合部１１６を有し、係合部４２および係合部１１６は、互いに係合される。係合部４２は、例えば、複数設けられている。係合部１１６は、例えば、複数設けられている。係合部４２および係合部１１６の形状は、互いに係合されることができれば、特に限定されない。
【００５７】
キャップ部４０には、図４に示すように、通気孔４４が設けられている。図示の例では、通気孔４４は、キャップ部４０のヘッド部３０側の端部４６に設けられている。通気孔４４の数は、特に限定されないが、図示の例では、通気孔４４は、６つ設けられている。
【００５８】
携帯用イオン歯ブラシ１００は、長手方向を有する形状を有している。図示の例では、携帯用イオン歯ブラシ１００の長手方向は、Ｙ軸方向である。携帯用イオン歯ブラシ１００のＹ軸方向の大きさＬ（図４参照）は、例えば、２０ｃｍ以下であり、好ましくは１８ｃｍ以下であり、より好ましくは１３ｃｍ以上１７ｃｍ以下である。携帯用イオン歯ブラシ１００の長手方向は、例えば、携帯用イオン歯ブラシ１００の＋Ｙ軸方向側の端と−Ｙ軸方向側の端との間に距離である。
【００５９】
携帯用イオン歯ブラシ１００は、例えば、以下の特徴を有する。
【００６０】
携帯用イオン歯ブラシ１００では、把持部１０には、Ｒ０３型の電池１６０が１つ収容されている。そのため、携帯用イオン歯ブラシ１００は、Ｒ０３型の電池が２つ収容されている場合や、Ｒ０３型よりも大型な電池が収容されている場合に比べて、小型である。
【００６１】
さらに、携帯用イオン歯ブラシ１００では、電池１６０の公称電圧は、２．５Ｖ未満である。そのため、携帯用イオン歯ブラシ１００の電池１６０は、例えば公称電圧が３Ｖであるリチウムイオン電池に比べて、コストが低い。そのため、携帯用イオン歯ブラシ１００では、電池交換にかかるコストが低い。
【００６２】
さらに、携帯用イオン歯ブラシ１００では、把持部１０には、昇圧回路１７４が収容されている。そのため、携帯用イオン歯ブラシ１００では、支軸部２０と導電部１２０との間の電位差を２．５Ｖ以上にすることができ、ブラッシング効果が高い。
【００６３】
以上のように、携帯用イオン歯ブラシ１００は、小型で電池交換にかかるコストが低く
、かつブラッシング効果が高い。
【００６４】
携帯用イオン歯ブラシ１００では、昇圧回路１７４は、支軸部２０と導電部１２０との間の電位差を３．０Ｖ以上にする。そのため、携帯用イオン歯ブラシ１００では、より高いブラッシング効果を有することができる。
【００６５】
携帯用イオン歯ブラシ１００では、把持部１０には、ヘッド部３０を振動させるモーター１９０が収容されている。そのため、携帯用イオン歯ブラシ１００では、ヘッド部３０が振動しない場合に比べて、ブラッシング効果を高めることができる。
【００６６】
携帯用イオン歯ブラシ１００では、モーター１９０には、昇圧回路１７４によって昇圧されていない電圧が印加される。そのため、携帯用イオン歯ブラシ１００では、モーター１９０に過剰な電圧が印加されることを抑制することができ、例えば、モーター１９０の長寿命化を図ることができる。
【００６７】
携帯用イオン歯ブラシ１００では、昇圧回路１７４によって昇圧された電圧が印加されて発光する発光部１８２を含む。そのため、携帯用イオン歯ブラシ１００の使用者は、昇圧回路１７４によって昇圧された電圧が使用者に印加されていることを、発光部１８２からの光によって視認することができる。
【００６８】
携帯用イオン歯ブラシ１００では、発光部１８２は、青色ＬＥＤである。そのため、使用者は、戸惑うことなく、携帯用イオン歯ブラシ１００を使用することができる。例えば発光部が赤色ＬＥＤの場合、赤色は注意色であるため、携帯用イオン歯ブラシの使用中に使用者が戸惑う場合がある。
【００６９】
携帯用イオン歯ブラシ１００では、ヘッド部３０を収容するキャップ部４０を含む。そのため、携帯用イオン歯ブラシ１００は、携帯時にヘッド部３０が汚れることを防止することができる。
【００７０】
携帯用イオン歯ブラシ１００では、キャップ部４０には、通気孔４４が設けられている。そのため、携帯用イオン歯ブラシ１００では、キャップ部４０を装着した状態でも、ヘッド部３０の通気性を向上させることができる。これにより、携帯用イオン歯ブラシ１００では、ヘッド部３０に、カビや雑菌が繁殖することを防止することができる。
【００７１】
携帯用イオン歯ブラシ１００では、携帯用イオン歯ブラシ１００の長手方向の大きさＬは、２０ｃｍ以下である。そのため、携帯用イオン歯ブラシ１００では、長手方向の大きさＬが２０ｃｍより大きい場合に比べて、小型であり、例えば、携帯用イオン歯ブラシ１００を化粧ポーチに入れて携帯することができる。
【００７２】
携帯用イオン歯ブラシ１００では、把持部１０は、支軸部２０が固定された第１絶縁部１１０を有し、第１絶縁部１１０には、貫通孔１１１が設けられ、貫通孔１１１には、第２電極１６４と電気的に接続された導電部材１５０が設けられ、導電部１２０は、導電部材１５０と接し、第１絶縁部１１０に固定された第１部分１２２と、第１部分１２２と接し、第１絶縁部１１０と係合して電池１６０を覆う第２部分１２４と、を有し、第１部分１２２および第２部分１２４は、互いに分離可能に構成されている。そのため、携帯用イオン歯ブラシ１００では、第１部分１２２が第１絶縁部１１０に固定された状態で、第２部分１２４と第１絶縁部１１０との係合を解除することにより、第２部分１２４を第１絶縁部１１０から取り外して電池１６０を交換することができる。
【００７３】
例えば、導電部１２０が第１部分１２２および第２部分１２４を有さずに一体的に設け
られている場合には、導電部１２０を第１絶縁部１１０から取り外した際に、導電部材１５０が露出し、導電部材１５０に例えば絶縁性の異物が付着する可能性がある。そうすると、電池１６０を交換して、再度、導電部１２０を第１絶縁部１１０に装着した際に、導電部１２０が第２電極１６４と電気的に接続されない場合がある。
【００７４】
携帯用イオン歯ブラシ１００では、上記のように、第１部分および第２部分１２４は、互いに分離可能に構成されているため、電池交換によって導電部１２０が第２電極１６４と電気的に接続されなくなることを抑制することができる。
【００７５】
なお、上記では、スイッチ１７２がＯＦＦ状態の場合では、支軸部２０は、電池１６０の第１電極１６２と電気的に接続されていない例について説明したが、スイッチ１７２がＯＦＦ状態の場合でも支軸部２０は、第１電極１６２と電気的に接続されていてもよい。そして、スイッチ１７２がＯＮ状態になると、昇圧回路１７４によって、例えば、支軸部２０と導電部１２０との間の電位差が３．０Ｖになってもよい。
【００７６】
本考案は、実施の形態で説明した構成と実質的に同一の構成（例えば、機能、方法及び結果が同一の構成、あるいは目的及び効果が同一の構成）を含む。また、本考案は、実施の形態で説明した構成の本質的でない部分を置き換えた構成を含む。また、本考案は、実施の形態で説明した構成と同一の作用効果を奏する構成又は同一の目的を達成することができる構成を含む。また、本考案は、実施の形態で説明した構成に公知技術を付加した構成を含む。
【符号の説明】
【００７７】
２ａ，２ｂ…電池端子、４ａ，４ｂ，４ｃ…配線、１０…把持部、１２…外表面、２０…支軸部、３０…ヘッド部、３１…ブラシ毛、３２…ブラシ部、３３…シャンク部、３４…外表面、３５…開口部、３６…支軸部挿入孔、３７…係合部、４０…キャップ部、４２…係合部、４４…通気孔、４６…端部、５０…係合部、１００…携帯用イオン歯ブラシ、１１０…第１絶縁部、１１１…貫通孔、１１２…被挿入部、１１３…係合部、１１４…ボタン、１１５…窓部、１１６…係合部、１２０…導電部、１２２…第１部分、１２４…第２部分、１３０…第２絶縁部、１４０…基部、１４２…電池配置部、１４４…回路基板配置部、１４６…発光基板配置部、１４８…モーター配置部、１５０…導電部材、１６０…電池、１６２…第１電極、１６４…第２電極、１７０…回路基板、１７２…スイッチ、１７４…昇圧回路、１８０…発光基板、１８２…発光部、１９０…モーター
【図１】
0003216415.tif 000003
【図２】
0003216415.tif 000004
【図３】
0003216415.tif 000005
【図４】
0003216415.tif 000006
【図５】
0003216415.tif 000007
【図６】
0003216415.tif 000008
【図７】
0003216415.tif 000009
【図８】
0003216415.tif 000010
【図９】
0003216415.tif 000011
【図１０】
0003216415.tif 000012